(57)【特許請求の範囲】
【請求項１】
地盤に管路を施工するための推進工法において、発進坑の内部に設けられて推進装備の反発力を支持するための推進装備用の反力部材において、
一方の面は前記発進坑の内面と密着するように形成され、他方の面は前記推進装備の後端が密着するように平面板により形成され、
前記一方の面には、前記発進坑の内面に密着するように丸い曲面板が形成され、
前記曲面板は、左右に少なくとも２枚以上が組み合わせられるように構成し、それぞれの曲面板は、平面板に形成された支持棒と蝶合されることを特徴とする推進装備用の反力部材。
【請求項２】
前記平面板又は曲面板には、持ち上げるための環体が形成されることを特徴とする請求項１に記載の推進装備用の反力部材。
【発明の詳細な説明】
【技術分野】
【０００１】
本発明は、地盤に管路を施工するために穿孔された発進坑の内部に推進装備とともに、簡便且つ安全に取り付け及び取り外しできるようにした推進装備用の反力部材に関する。
【背景技術】
【０００２】
一般に、地盤を通過する各種のケーブルや送油管・水道管などを設置するためには、地盤に管路を施工する作業が先行して行われる必要があるが、このように地盤に管路を施工するための工事方法として推進工法が適用されている。
【０００３】
前記推進工法は、設計された管路の出発地点及び目標地点にそれぞれ発進坑及び到着坑を垂直に掘削した状態で前記発進坑の内部に推進装備を設置した後に、前記推進装備の掘進装置を稼動させて掘削と同時に管路を連結する方法である。
【０００４】
前記推進装備の稼動に際して、掘削方向とは反対側の方向に非常に大きな反発力が発生するため、発進坑の内部には、推進装備の反発力を支持できるように、コンクリート構造物である反力壁を形成する。
【発明の概要】
【発明が解決しようとする課題】
【０００５】
本発明の目的は、発進坑の内部に反力壁を形成するために現場で直接的に枠を製作してコンクリートを打設する場合に多大な労力や手間がかかるという従来の問題点を解消することである。
【０００６】
本発明の他の目的は、現場で打設された反力壁を除去するときに崩壊などの危険が発生し、取り外し後に再使用できないため廃棄しにくいという従来の問題点を解消することである。
【課題を解決するための手段】
【０００７】
本発明は、地盤に管路を施工するための推進工法において、発進坑の内部に設けられて推進装備の反発力を支持するための推進装備用の反力部材において、一方の面は前記発進坑の内面と密着するように形成され、他方の面は前記推進装備の後端が密着するように所定の厚さの平面板により形成される。
【０００８】
前記一方の面には、前記発進坑の内面に密着するように丸い曲面状に養生されたモルタルが形成されるか、あるいは、前記発進坑の内面に密着するように丸い曲面板が形成され、前記曲面板の外面にはゴム板が取り付けられ、前記平面板と曲面板との間には多数の支持棒又は蜂の巣状の仕切りが形成される。
【０００９】
前記曲面板は、左側、中間、右側に組み合わせられるように形成され、それぞれの曲面板は、平面板に形成された支持棒と蝶合される。
【００１０】
前記平面板又は曲面板には、持ち上げるための環体が形成される。
【００１１】
本発明の反力部材を用いた管路推進工法は、管路を施工するための出発地点及び目標地点にそれぞれ発進坑及び到着坑を垂直に掘削するステップと、前記発進坑の内部に平面板状の反力部材及び推進装備を設置するステップと、前記平面板状の反力部材と発進坑との間にモルタルを打設して養生するステップと、前記推進装備を稼動させて掘削と同時に管路を設置するステップと、を含む。
【発明の効果】
【００１２】
本発明によれば、推進装備及び反力部材を並設して枠の形成に伴う労力及び手間を省くことができ、それ自体で推進反発力を支持することができるので、施工性及び経済性が向上する。
【００１３】
また、本発明によれば、推進装備と並設される反力部材を手軽に取り外し、取り外し後に再使用することができるので、安定性及び経済性が向上し、しかも、環境にやさしい。
【００１４】
さらに、本発明によれば、発進坑の大きさや形状に応じて種々の形状で提供したり、あるいは、種々の形状に変形したりすることができるので、現場の条件に合わせて好適に使用して施工性が向上する。
【図面の簡単な説明】
【００１５】
【図１】本発明が適用された推進工法を示す工程図である。
【図２】本発明が適用された推進工法用の推進装備及び反力部材を示す設置状態の側面図である。
【図３】本発明が適用された推進工法用の推進装備及び反力部材を示す設置状態の平面図である。
【図４】本発明が適用された反力部材の他の実施形態を示す斜視図である。
【図５】本発明が適用された反力部材のさらに他の実施形態を示す平面図である。
【図６】本発明が適用された反力部材のさらに他の実施形態を示す平面図である。
【図７】本発明が適用された反力部材のさらに他の実施形態を示す斜視図である。
【図８】図７の平面図である。
【発明を実施するための形態】
【００１６】
以下、添付図面に基づき、本発明の好適な実施形態について詳述する。
【００１７】
本発明の推進装備用の反力部材は、地盤に管路３０を施工するための推進工法において、発進坑１０の内部に設けられて推進装備４０の反発力を支持するためのものであり、図１から図８に示すように、一方の面は前記発進坑１０の内面と密着するように形成され、他方の面は前記推進装備４０の後端が密着するように所定の厚さの平面板１１０により形成される。このような平面板１１０は、推進装備４０を支持できる範囲内で最大限に小さく形成する。
【００１８】
このような平面板１１０を円形状に掘削された発進坑１０に使用するときには、発進坑１０の内面と密着するように丸い曲面状に養生されたモルタル５０が形成されるか、あるいは、前記平面板１１０の一方の面に前記円形状に掘削された発進坑１０の内面に密着するように丸い曲面板１２０が形成されるようにする。前記曲面板１２０は、発進坑１０の大きさや曲面に応じて、３種類以上の規格で形成する。
【００１９】
前記曲面板１２０の外面にはゴム板１３０が取り付けられて、発進坑１０の内面と緊密な密着が行われるようにする。
【００２０】
前記平面板１１０と曲面板１２０との間の空間には、反発力を支持できるように、モルタル５０を打設した後に養生して支持力を向上させるか、あるいは、多数の支持棒１５０又は蜂の巣状の仕切り１６０を形成して支持力を向上させる。前記支持棒１５０は、左右及び上下に多数形成する。このような平面板１１０及び曲面板１２０は一体的に形成される。
【００２１】
前記曲面板１２０の他の実施形態によれば、図７及び図８に示すように、一つの曲面をなしながら左右に少なくとも２枚以上の曲面板１２０が組み合わせられるように形成し、それぞれの曲面板１２０は、平面板１１０に形成された支持棒１５０とヒンジ１７０により結合される。前記多数の曲面板１２０は、ヒンジ１７０を軸として回転しながら発進坑１０の形状や大きさに応じて自由に変形可能になる。
【００２２】
前記平面板１１０又は曲面板１２０には、持ち上げるための環体１４０が形成される。前記環体１４０は、起重機などを用いて持ち上げて取り付け及び取り外し可能にする。
【００２３】
以下、このような反力部材１００を用いた管路の推進工法について説明する。
【００２４】
地盤に管路３０を施工するための出発地点及び目標地点にそれぞれ発進坑１０及び到着坑２０を垂直に掘削する。前記発進坑１０及び到着坑２０を掘削するときには、設計に応じて測量して位置及び深度が決定される。
【００２５】
前記発進坑１０の内部に平らに形成された反力部材１００及び推進装備４０を設置する。前記反力部材１００及び推進装備４０を設置するときには、まず、発進坑１０の内部の底面を平らに均した後に、その上に互いに緊密に密着するようにする。
【００２６】
前記反力部材１００と発進坑１０との間の空間にモルタル５０を打設して養生して支持力を向上させる。
【００２７】
前記推進装備４０を稼動させて掘削と同時に管路３０を設置する。このような管路の設置のための推進装備４０の稼動について説明すると、推進装備４０の先端の掘進装置４１を駆動するとともにその後方の油圧装置４２を作動させて地盤を掘削し、このような稼動により所定の深さまでの掘削が終わると、掘進装置４１を停止した状態で油圧装置４２を後進させて掘進装置４１と油圧装置４２との間に管路３０を連結し、再び掘進装置４１を駆動するとともに油圧装置４２を作動させて地盤を掘削する。このような作業を繰り返し行うことにより、地盤の掘削及び管路３０の連結が同時に行われる。前記推進装備４０は通常の構成要素であるため、ここではこれについての詳細な説明を省略する。
【００２８】
したがって、本発明の推進装備用の反力部材及びこれを用いた管路推進工法によれば、反力部材１００を現場で設置した状態で反力部材１００と発進坑１０との間の空間に直接的にモルタル５０を打設して工期を短縮させることができ、設置された反力部材１００を手軽に取り外して再使用することができる。また、反力部材１００の強度が向上し、発進坑１０の大きさや形状に応じて種々の形状で提供されることにより、現場の条件に合わせて好適に使用して施工性が向上する。
【００２９】
以上、添付図面に基づき、本発明の好適な実施形態について詳述したが、これは単なる例示に過ぎず、この技術分野における通常の知識を有する者であれば、本発明を種々に変形することができ、しかも、均等な他の実施形態を採用することができるということが理解できる筈である。よって、本発明の真の技術的な保護範囲は、添付の特許請求の範囲の技術的思想により定められるべきである。
【符号の説明】
【００３０】
１０：発進坑
２０：到着坑
３０：管路
４０：推進装備
４１：掘進装置
４２：油圧装置
５０：モルタル
１００：反力部材
１１０：平面板
１２０：曲面板
１３０：ゴム板
１４０：環体
１５０：支持棒
１６０：仕切り
１７０：ヒンジ
【図１】
0005960852.tif 000002
【図２】
0005960852.tif 000003
【図３】
0005960852.tif 000004
【図４】
0005960852.tif 000005
【図５】
0005960852.tif 000006
【図６】
0005960852.tif 000007
【図７】
0005960852.tif 000008
【図８】
0005960852.tif 000009